(57)【特許請求の範囲】
【請求項１】
データベースを備える宅配会社運営サーバーが宅配技師呼出し端末、二輪車に積載される配達箱端末及び顧客端末とそれぞれ無線通信網を介してデータ送受信を行い、前記配達箱端末はディスプレイと有無線で連結されて広告内容情報を提供し、
前記宅配会社運営サーバーは宅配技師の呼出し端末と各宅配技師が持っている配達箱端末とを登録し、前記呼出し端末及び配達箱端末のそれぞれにＩＤを付与してデータベースに保存する段階と、
前記宅配会社運営サーバーは、顧客端末から配送注文が伝送されれば、顧客端末にＩＤを付与するとともに前記顧客端末に対応する情報と広告内容を顧客端末ＩＤとマッチさせてデータベースに保存する段階と、
前記配達箱端末が、宅配会社が前もって製作しておいた顧客の広告内容を配達箱端末に備えるデータベースに保存する段階と、
前記宅配会社運営サーバーは、顧客端末から伝送された配送注文要請を受け付け、これを宅配技師の呼出し端末に伝送して顧客端末ＩＤの配送注文要請に対するコール伝送を行う段階と、
前記宅配会社運営サーバーから伝送されたコールに対して一番先にコール認識要請を伝送した宅配技師の配達箱端末に宅配会社運営サーバーが、顧客端末ＩＤとマッチされた広告内容を伝送するか、前記配達箱端末に備えるデータベースに保存されている顧客端末ＩＤとマッチする広告内容を読み出すかのいずれかを行う段階と、
前記宅配技師の配達箱端末は伝送又は読み出された顧客の広告内容をディスプレイに表示するとともに前記ディスプレイには宅配会社運営サーバーから伝送される配送注文を要請した顧客に対応する広告内容を、前記宅配技師呼出し端末がコールを受ける瞬間から宅配配送を完了する瞬間まで、表示する段階を含むことを特徴とする、配達注文者の広告が可能な宅配方法。
【請求項２】
データベースを備える宅配会社運営サーバーは宅配技師呼出し端末、二輪車に積載される配達箱端末及び顧客端末とそれぞれ無線通信網を介してデータ送受信を行い、前記配達箱端末はディスプレイと有無線で連結されて広告内容情報を提供し、
前記宅配会社運営サーバーが宅配技師の呼出し端末と各宅配技師が持っている配達箱端末を登録するとともにそれぞれＩＤを付与してデータベースに保存する段階と、
前記宅配会社運営サーバーは広告を望む顧客端末にＩＤを付与するとともに前記顧客端末に対応する情報と広告内容を顧客端末ＩＤとマッチさせてデータベースに保存する段階と、
前記配達箱端末が、宅配会社が前もって製作しておいた顧客の広告内容を配達箱端末に備えるデータベースに保存する段階と、
前記顧客端末から配送注文要請が伝送されれば、宅配会社運営サーバーは顧客端末ＩＤに対応する情報と広告内容保存有無と広告内容のアップデートを確認する段階と、
前記宅配会社運営サーバーは顧客端末から伝送された配送注文要請を受け付け、これを宅配技師の呼出し端末に伝送して顧客端末ＩＤの配送注文要請に対するコール伝送を行う段階と、
前記宅配会社運営サーバーから伝送されたコールに対して一番先にコール認識要請を伝送した宅配技師の配達箱端末に宅配会社運営サーバーは顧客端末ＩＤとマッチされた広告内容を伝送するか、前記配達箱端末に備えるデータベースに保存されている顧客端末ＩＤとマッチする広告内容を読み出すかのいずれかを行う段階と、
前記宅配技師の配達箱端末は伝送又は読み出された顧客の広告内容をディスプレイに表示するとともに前記ディスプレイには宅配会社運営サーバーから伝送される配送注文を要請した顧客に対応する広告内容を、前記宅配技師呼出し端末がコールを受ける瞬間から宅配配送を完了する瞬間まで、表示する段階を含むことを特徴とする、配達注文者の広告が可能な宅配方法。
【発明の詳細な説明】
【技術分野】
【０００１】
本発明は配達注文者の広告が可能な宅配方法に関するもので、より詳しくは、顧客が宅配物品の配送を要求するとき、前記宅配物品の配送を要求した顧客の広告を宅配物品の配送の責任を負った宅配技師の配達箱に設置されたディスプレイに表示することによって顧客に宅配配送とともに広告を行う新しい宅配サービスを提供するための配達注文者の広告が可能な宅配方法に関するものである。
【背景技術】
【０００２】
過去の宅配サービスは、配送を要求した顧客の宅配物品を受領し、さらにこれを所望の配送先に移動させるサービスのみを提供する非常に単純で低級な業種と認識されていることが事実である。
【０００３】
近年、宅配技師が宅配物品を運ぶために二輪車やコールバントラックなどの運送手段を用いている。このような運送手段には、二輪車の場合、荷物室に配達箱が設置されており、トラックの場合は、たいてい積載箱が形成されている。
【０００４】
このように、配達箱（以下、トラックの積載室も含む意味として使う）の外側には通常ＬＥＤ又はＬＣＤからなったディスプレイ（広告看板）が設置されている。
【０００５】
前記のような配達箱のディスプレイは通信網に接続された状態であり、運用サーバーから情報を受け、ディスプレイに該当情報を表示する機能を有する。
【０００６】
しかし、前記のような機能はただ宅配会社そのものの広告のみに使われている実情である。したがって、宅配サービスの活性化及び低賃金労動に対する問題点を解決するためには、より新しくて進歩した宅配サービスの必要性が切実に要求されている実情である。
【先行技術文献】
【特許文献】
【０００７】
【特許文献１】大韓民国特許出願第１０２００５００４７９９５号（注文者情報管理が可能な配達業者用カード端末機及びこれを用いる注文者情報管理方法（ＯＲＤＥＲＥＲ  ＭＡＮＡＧＥＭＥＮＴ  ＭＥＴＨＯＤ  ＵＳＩＮＧ  ＣＡＲＤ  ＲＥＡＤＥＲ  ＦＯＲ  ＤＥＬＩＶＥＲＹ  ＢＵＳＩＮＥＳＳ  ＡＮＤ  ＡＰＰＡＲＡＴＵＳ  ＴＨＥＲＥＯＦ））
【特許文献２】大韓民国特許出願第１０１９９９００５７７０８号（注文者選択型インターネット商取引システム（Ｃｕｓｔｏｍ  Ｓｅｌｅｃｔｉｏｎ  Ｔｙｐｅ  Ｉｎｔｅｒｎｅｔ  Ｃｏｍｍｅｒｃｉａｌ  Ｔｒａｎｓａｃｔｉｏｎ  Ｓｙｓｔｅｍ））
【発明の概要】
【発明が解決しようとする課題】
【０００８】
本発明は前記の問題点を解決するためのもので、顧客が宅配物品の配送を要求する場合、前記顧客の配送要求を一番先に受け取った宅配技師の配達箱に設置されたディスプレイに配送を要求した顧客の広告文句を表示して、宅配技師が宅配の配送を完了する瞬間まで配送を要求した顧客の広告をずっと宅配技師のディスプレイ（広告看板）に表示することにより、顧客に配送と同時に付加のメリットを与えて宅配サービスを活性化するための注文者広告宅配方法を提供するためのものである。
【０００９】
しかし、本発明の目的は前述した目的に制限されず、言及しなかった他の目的は下記の記載から当業者に明確に理解可能であろう。
【課題を解決するための手段】
【００１０】
前記の目的を達成するために、本発明の実施例による配達注文者の広告が可能な宅配方法は、宅配技師の呼出し端末と各宅配技師が持っている配達箱端末を登録し、前記呼出し端末と配達箱端末にそれぞれＩＤを付与して宅配会社運営サーバーのデータベース（以下、ＤＢ）に保存する段階と、顧客端末から配送注文が伝送されれば、顧客端末にＩＤを付与して宅配会社運営サーバーのＤＢに保存するとともに前記顧客端末に対応する情報と広告内容を顧客端末ＩＤにマッチさせて保存する段階と、前記宅配技師呼出し端末に顧客端末ＩＤの配送注文要請に対するコール伝送を行う段階と、一番先にコール認識要請を伝送した宅配技師の配達箱端末に顧客端末のＩＤに対応する広告内容を伝送する段階と、伝送顧客の広告内容を配達箱端末のディスプレイに表示する段階とを含むことを特徴とする。
【００１１】
また、本発明は、宅配技師の呼出し端末と各宅配技師が持っている配達箱端末を登録し、前記呼出し端末と配達箱端末にそれぞれＩＤを付与して宅配会社運営サーバーのＤＢに保存する段階と、顧客端末に対応する情報と広告内容を宅配会社運営サーバーのＤＢに顧客端末のＩＤとマッチさせて保存する段階と、顧客端末から配送注文要請が伝送されれば、顧客端末ＩＤに対応する情報と広告内容保有無を確認する段階と、広告内容のアップデートを確認する段階と、宅配技師呼出し端末に顧客端末ＩＤの配送注文要請に対するコール伝送を行う段階と、一番先にコール認識要請を伝送した宅配技師の配達箱端末に顧客端末のＩＤに対応する広告内容を伝送する段階と、顧客の広告内容を配達箱端末のディスプレイに表示する段階とを含むことを特徴とする。
【発明の効果】
【００１２】
本発明の実施例による配達注文者の広告が可能な宅配方法は、顧客が宅配物品の配送を要求すると、宅配会社では顧客の利益のために宅配技師の配達箱に設置されたディスプレイを用いて顧客が要する広告を大衆に露出させることにより、配送を要求した顧客に配送以外のメリットあるサービスを提供することができる効果を有する。
【００１３】
また、宅配と共に新しい付加サービスを提供することにより、宅配費に対する負担を減らし、宅配サービスの活性化に寄与することができ、その上、宅配サービスに対する新しいビジネスモデルを提供することができる非常に有用な発明である。
【図面の簡単な説明】
【００１４】
【図１】本発明の実施例による配達注文者の広告が可能な宅配方法を示す図である。
【図２】本発明の一実施例による配達注文者の広告が可能な宅配方法を示す図である。
【００１５】
【図３】本発明の他の実施例による配達注文者の広告が可能な宅配方法を示す図である。
【図４】本発明の実施例による配達注文者の広告が可能な宅配方法の概略的な構成図である。
【発明を実施するための形態】
【００１６】
以下、本発明の好適な実施例の詳細な説明を添付図面に基づいて開示する。下記の本発明の説明において、関連の公知機能又は構成についての具体的な説明が本発明の要旨を不必要にあいまいにすることができると判断される場合にはその詳細な説明を省略する。
【００１７】
本明細書においては、ある一構成要素が他の構成要素にデータ又は信号を‘伝送’する場合、一構成要素は他の構成要素に直接前記データ又は信号を伝送することができ、少なくとも一つのさらに他の構成要素を介してデータ又は信号を他の構成要素に伝送することができることを意味する。
【００１８】
本発明の実施例による配達注文者の広告が可能な宅配方法は次のようである。
【００１９】
宅配技師の呼出し端末４０と各宅配技師が持っている配達箱端末５０を登録し、前記呼出し端末４０と配達箱端末５０にそれぞれＩＤを付与して宅配会社運営サーバー２０のＤＢ２１に保存する段階（Ｓ１）と、顧客端末１０から配送注文が伝送されれば、顧客端末にＩＤを付与して宅配会社運営サーバー２０のＤＢ２１に保存するとともに前記顧客端末に対応する情報と広告内容を顧客端末ＩＤとマッチさせて保存する段階（Ｓ２）と、前記宅配技師呼出し端末４０に顧客端末ＩＤの配送注文要請に対するコール伝送を行う段階（Ｓ３）と、一番先にコール認識要請を伝送した宅配技師の配達箱端末５０に顧客端末１０のＩＤに対応する広告内容を伝送する段階（Ｓ４）と、伝送顧客の広告内容を配達箱端末５０のディスプレイ５１に表示する段階（Ｓ５）とを含む。
【００２０】
また、本発明は他の実施例によっても可能であり、その方法は次のようである。これは、顧客の広告内容を顧客の要請によってアップデートさせておいた後、顧客の配送要請があるとき、アップデートされた広告内容を配達箱端末５０のディスプレイ５１に表示するためである。
【００２１】
すなわち、宅配技師の呼出し端末４０と各宅配技師が持っている配達箱端末５０を登録し、前記呼出し端末４０と配達箱端末５０にそれぞれＩＤを付与して宅配会社運営サーバー２０のＤＢ２１に保存する段階（Ｓ１０）と、顧客端末１０に対応する情報と広告内容を宅配会社運営サーバー２０のＤＢ２１に、顧客端末１０のＩＤとマッチさせて保存する段階（Ｓ２０）と、顧客端末１０から配送注文要請が伝送されれば、顧客端末ＩＤに対応する情報と広告内容の保存有無を確認する段階（Ｓ３０）と、広告内容のアップデートを確認する段階（Ｓ４０）と、宅配技師呼出し端末４０に顧客端末ＩＤの配送注文要請に対するコール伝送を行う段階（Ｓ５０）と、一番先にコール認識要請を伝送した宅配技師の配達箱端末５０に顧客端末１０のＩＤに対応する広告内容を伝送する段階（Ｓ６０）と、顧客の広告内容を配達箱端末５０のディスプレイ５１に表示する段階（Ｓ７０）とを含む。
【００２２】
前記顧客端末１０から配送注文要請が伝送されれば、顧客端末ＩＤに対応する情報と広告内容の保存有無を確認する段階（Ｓ３０）において、顧客端末１０から配送注文要請が伝送されたにもかかわらず、顧客端末ＩＤに対応する情報と広告内容が宅配会社運営サーバー２０のＤＢ２１に保存されていなければ、これは新規顧客と判断して新たに顧客端末ＩＤを付与し、また前記付与された顧客端末ＩＤとマッチさせ、顧客の情報と顧客が露出されることを望む広告内容を宅配会社運営サーバー２０のＤＢ２１に保存するようにする。
【００２３】
また、前記広告内容のアップデートを確認する段階（Ｓ４０）において、顧客の広告内容をアップデートしなければならなければＳ３０段階に戻り、顧客が望む広告内容でアップデートし、これを配達箱端末５０に伝送すれば良いが、仮に顧客端末ＩＤに対する広告内容が以前に作成された広告内容と同一である場合と既にアップデートされている場合であれば、以前の広告内容をそのまま伝送するとか、アップデートされた広告内容を配達箱端末５０に伝送してディスプレイ５１に表示することになる。
【００２４】
これは、前記配達箱端末５０に顧客端末１０のＩＤに対応する広告内容を伝送するに当たり、宅配会社運営サーバー２０のＤＢ２１に保存された広告内容をいつも最新のもの、つまりアップデートされたものをディスプレイ５１に表示するための構成である。
【００２５】
本発明において、全ての宅配技師は呼出し端末４０と配達箱端末５０を備えなければならない。前記呼出し端末４０は宅配技師がコールを受けるための用途のものであり、配達箱端末５０は宅配車両に設置されたディスプレイ５１、すなわち広告看板に顧客端末１０のＩＤに対応する広告内容を表示するために必要な構成である。
【００２６】
したがって、本発明は全ての宅配技師の宅配車両のある一部分に設置される少なくとも一つ以上のディスプレイ５１と電気的で通信的に連結された構造である。
【００２７】
ここで、前記配達箱端末５０は有無線通信手段を介して宅配会社運営サーバー２０と情報を送受信し、またディスプレイ５１にも有無線で連結されて広告内容情報を提供することになる。
【００２８】
前記広告内容は、顧客、つまり宅配を要請した会社の名称及び連絡先、広報しようとする物品とサービス種類などを知らせることができる文字、イメージ及び動画を含む。
【００２９】
また、前記配達箱端末５０はＤＢを別に備えるようにして、宅配会社が前もって製作しておいた顧客社の広告内容を配達箱端末５０のＤＢに保存させておいてから該当顧客端末のＩＤとマッチするコール認識要請が発生するとか又は宅配会社の必要によって、配達箱端末５０のディスプレイ５１に表示するように構成することもできる。
【００３０】
前記宅配技師呼出し端末及び配達箱端末、ディスプレイ５１、顧客端末及び宅配会社運営サーバー２０はそれぞれ有無線通信網を介してデータ送受信を行う。
【００３１】
ここで、通信網は大容量、長距離音声及びデータサービスが可能な大型通信網の高速基幹ネットワークである通信網であり、インターネット（Ｉｎｔｅｒｎｅｔ）又は高速のマルチメディアサービスを提供するための次世代有線及び無線ネットワークであり得る。通信網が移動通信網の場合、同期式移動通信網であってもよく、非同期式移動通信網であってもよい。非同期式移動通信網の一実施例として、ＷＣＤＭＡ（登録商標）(Ｗｉｄｅｂａｎｄ  Ｃｏｄｅ  Ｄｉｖｉｓｉｏｎ  Ｍｕｌｔｉｐｌｅ  Ａｃｃｅｓｓ）方式の通信網を有することができる。この場合、図面に示されてはいないが、移動通信網はＲＮＣ（Ｒａｄｉｏ  Ｎｅｔｗｏｒｋ  Ｃｏｎｔｒｏｌｌｅｒ）を含むことができる。一方、ＷＣＤＭＡ網を一例として挙げたが、３Ｇ  ＬＴＥ網、４Ｇ網などの次世代通信網、その外のＩＰを基にするＩＰネットワークであり得る。
【００３２】
また、本発明顧客端末１０は、通信網を介して宅配会社運営サーバー２０に顧客情報及び宅配物品の配送位置情報、広告内容などを含む配送注文を要請するための手段である。
【００３３】
宅配会社運営サーバー２０は、通信網と公知の宅配コールシステムを用いて全ての宅配技師に配送注文要請に相当するコール伝送を行い、配達箱端末５０に広告内容を伝送するための手段である。
【００３４】
この際、宅配コールシステムは、顧客端末の配送注文要請を全ての宅配技師の呼出し端末４０に掲示することにより、第１宅配技師呼出し端末４０−１〜第ｎ宅配技師呼出し端末４０−ｎの一つから一番先にコールを受ければ、該当宅配技師に顧客情報及び宅配物品の配送位置情報を提供して宅配ができるようにする手段である。
【００３５】
このために、宅配車両の配達箱、ディスプレイ又は各宅配技師呼出し端末は位置情報を受信するためのＧＰＳ受信モジュールを備えることが好ましい。
【００３６】
前記第１宅配技師呼出し端末４０−１〜第ｎ宅配技師呼出し端末４０−ｎ（ｎは２以上の端末）を運営する各宅配技師は宅配車両１を運営し、宅配車両としては、バイク、コールバン車両、その外の貨物車が使われ、前記宅配車両のうち、二輪車の場合は荷物室に配達箱が設置され、トラックの場合はたいてい積載箱が形成されている。このように、前記配達箱（積載箱）の外側にＬＥＤ又はＬＣＤからなったディスプレイ（広告看板）が設置される。もちろん、前記配達箱端末は通信網に接続された状態であり、広告内容をディスプレイ５１に表示することができるプログラムが組み込まれた制御部（図示せず）を備えている。
【００３７】
したがって、前記ディスプレイ５１には、宅配会社運営サーバー２０から伝送された顧客の広告内容が、宅配技師呼出し端末がコールを受ける瞬間から宅配配送を完了する瞬間まで、表示されることができる。
【００３８】
また、本発明はコンピュータで読める記録媒体とコンピュータが読めるコードとから具現することができる。コンピュータが読める記録媒体はコンピュータシステムによって読められるデータが保存される全ての種類の記録装置を含む。
【００３９】
コンピュータが読める記録媒体の例としては、ＲＯＭ、ＲＡＭ、ＣＤ−ＲＯＭ、磁気テープ、フロッピーディスク、光データ保存装置などがあり、また搬送波（例えば、インターネットを介しての伝送）の形態に具現されるものも含む。
【００４０】
また、コンピュータが読める記録媒体は、ネットワークで連結されたコンピュータシステムに分散され、分散方式でコンピュータが読めるコードが保存されて実行されることができる。そして、本発明を具現するための機能的な（ｆｕｎｃｔｉｏｎａｌ）プログラム、コード及びコードセグメントは本発明が属する技術分野のプログラマーによって容易に推論できる。
【００４１】
以上のように、本明細書と図面には本発明の好適な実施例について開示した。本明細書では特定用語を使ったが、これはただ本発明の記述内容を容易に説明し、発明の理解を助けるための一般的な意味として使ったもので、本発明の範囲を限定しようとするものではない。ここで開示した実施例の外にも本発明の技術的思想に基づく他の変形例が実施可能であるのは本発明が属する技術分野で通常の知識を有する者に明らかである。
【符号の説明】
【００４２】
１    宅配車両
２    配達箱
３    広告看板（ディスプレイ）
１０  顧客端末
２０  宅配会社運営サーバー
３０  有無線通信網
４０  宅配技師の呼出し端末
５０  宅配技師の配達箱端末
５１  ディスプレイ
【図１】
0006609709.tif 000002
【図２】
0006609709.tif 000003
【図３】
0006609709.tif 000004
【図４】
0006609709.tif 000005